(57)【特許請求の範囲】
【請求項１】
デジタル放送を受信するデジタル放送受信機において、
ボリュームの設定操作を行うボリューム操作手段、
デジタル放送受信時、デジタル放送の受信電界強度に基づいて、あるいは、デジタル放送のフレーム同期の有無に基づいて、あるいは、デジタル放送のエラー訂正状況に基づいて、正常に放送受信可能な状態であるか、否かを判定し、正常受信可能状態時に前記ボリューム操作手段により設定された音量値をアンプに送信し、正常受信不能状態時、前記ボリューム操作手段により設定された音量値をアンプに送信せずに無効にする制御部、
を備えることを特徴とするデジタル放送受信機。
【発明の詳細な説明】
【０００１】
【発明の属する技術分野】
本発明はデジタル放送受信機のボリューム制御方法に係わり、特に、最大音量値を設定しておき、ボリューム操作で設定された音量値が、予め設定してある最大音量値よりも大きい場合に音量を該最大音量値に制限したり、又は、ボリューム操作を無効にする、デジタル放送受信機のボリューム制御方法に関する。
【０００２】
【従来の技術】
図８は従来のデジタル放送受信機の構成図である。図中１１はアンテナ、１２は所望のデジタル放送信号を受信し、該信号に含まれる高能率符号データ（ＭＰＥＧデータ等）を復元して出力するデジタル放送受信部、１３は入力されたアナログの音声信号を増幅して出力するアンプ、１４は音声を出力するスピーカ、１５は受信機を制御するプロセッサ（ＣＰＵ）、１６は受信局の周波数等を表示する表示部、１７は音量を調整するボリュームである。
デジタル放送受信部１２は図示するように、ＲＦ部１２ａ、Ａ／Ｄ変換器１２ｂ、復調部１２ｃ、エラー訂正部１２ｄ、ＭＰＥＧ部１２ｅ、Ｄ／Ａ変換器１２ｆ等を備えている。ＲＦ部１２ａはデジタル放送信号を受信してベースバンド信号を出力し、Ａ／Ｄ変換器１２ｂはベースバンドのアナログ信号をデジタルデータに変換する。復調部１２ｃはデジタルデータに復調処理を施してＭＰＥＧデータ等を出力する。エラー訂正部１２ｄは復調データにエラー訂正処理を施し、ＭＰＥＧ部１２ｅはエラー訂正部から入力するＭＰＥＧデータ等を元のデジタル音声データに変換する。Ｄ／Ａ変換器１２ｆはデジタルの音声データをアナログの音声信号に変換する。
【０００３】
図９は従来のボリューム制御のフローチャートである。まず、ボリューム１７（図８）の操作があるか、否かをＣＰＵ１５により判定し（ステップ９０１）、操作が無い時はステップ９０１の処理を継続する。一方、ボリューム１７の操作があった時はＣＰＵ１５により、ボリューム１７の操作量計測を行い（ステップ９０２）、ついで前記操作量に応じた音量値を算出し（ステップ９０３）、算出した音量値をアンプ１３へ送信する（ステップ９０４）。
【０００４】
【発明が解決しようとする課題】
従来のデジタル放送受信機は、受信状態が悪くなると、音声を出力できなくなる。かかる場合、ユーザーはボリューム操作により音量を上げてしまうことがある。これは、ボリュームが低いので音声が聞こえないのか、正常な受信をしていないので音声が聞こえないのか、判断できないためである。ところで、ボリューム操作により音量を上げた状態で、正常受信が可能になると、突然、大音量を出力し、ユーザーを驚かせ、車載用の場合は安全運転上の問題があった。
以上より、本発明の目的は、正常受信不可能時にボリュームのアップ操作をしても、音量を所定音量に制限することである。
【０００５】
【課題を解決するための手段】
上記課題は、本発明によれば、ボリュームの設定操作を行うボリューム操作手段、デジタル放送受信時、デジタル放送の受信電界強度に基づいて、あるいは、デジタル放送のフレーム同期の有無に基づいて、あるいは、デジタル放送のエラー訂正状況に基づいて、正常に放送受信可能な状態であるか、否かを判定し、正常受信可能状態時に前記ボリューム操作手段により設定された音量値をアンプに送信し、正常受信不能状態時、前記ボリューム操作手段により設定された音量値をアンプに送信せずに無効にする制御部を備えるデジタル放送受信機により達成される。
【０００６】
【発明の実施の形態】
（Ａ）本発明の第１実施例
（ａ）デジタル放送受信機の構成
図１は本発明第１実施例のデジタル放送受信機の構成図である。図中、２１はアンテナ、２２は所望のデジタル放送信号を受信し、該信号に含まれる高能率符号データ（例えばＭＰＥＧデータ）を復元して出力するデジタル放送受信部、２３は入力されたアナログの音声信号を増幅して出力するアンプ、２４は音声を出力するスピーカ、２５は受信機を制御するプロセッサ（ＣＰＵ）、２６は受信局の周波数等を表示する表示部、２７は出力する最大の音量を設定するための最大音量値設定キー、２８は音量を調整するボリュームである。
デジタル放送受信部２２は図示するように、ＲＦ部２２ａ、Ａ／Ｄ変換器２２ｂ、復調部２２ｃ、エラー訂正部２２ｄ、ＭＰＥＧ部２２ｅ、Ｄ／Ａ変換器２２ｆ等を備えている。ＲＦ部２２ａはデジタル放送信号を受信してベースバンド信号を出力し、Ａ／Ｄ変換器２２ｂはベースバンドのアナログ信号をデジタルデータに変換する。復調部２２ｃはデジタルデータに復調処理を施してＭＰＥＧデータを出力する。エラー訂正部２２ｄは復調データにエラー訂正処理を施し、ＭＰＥＧ部２２ｅはエラー訂正部から入力するＭＰＥＧデータを元のデジタル音声データに変換する。Ｄ／Ａ変換器２２ｆはデジタルの音声データをアナログの音声信号に変換する。
又、ＣＰＵ２５は、最大音量値メモリ２５ａ、現在音量値メモリ２５ｂを備えている。最大音量値メモリ２５ａは、最大音量値設定キー２７とボリューム２８の操作により設定する最大音量値Vmaxを記憶するメモリ、現在音量値メモリ２５ｂは現在出力している音量値Vを記憶するメモリである。
【０００７】
（ｂ）最大音量値設定フローチャート
図２は最大音量値設定のフローチャートである。まず、ＣＰＵ２５（図１）は、所定時間毎に設定キー２７が押されたか、否かを判定し（ステップ２０１）、押されていない時は処理を終了する。一方、押された場合はボリューム２８の操作が行われたか、否かを判定する（ステップ２０２）。ボリューム２８の操作が行われない場合はボリューム操作が行われるのを待つ。ボリューム操作が行われた場合はボリューム２８の操作量ΔVを計測する（ステップ２０３）。次に、ステップ２０３での操作量ΔVに応じた音量値ΔV+V→Vを算出し（ステップ２０４）、音量値Vをアンプ２３へ送信する（ステップ２０５）。しかる後、ボリューム操作が終了したか、否かを判定し（ステップ２０６）、終了していない時は、ステップ２０３以降の処理を繰り返す。一方、ボリューム操作が終了した場合は、設定キー２７が押されたか、否かを判定し（ステップ２０７）、押されていない時は押されるのを待つ。一方、押された場合は、現在の音量値を最大音量値V→Vmaxとして最大音量値メモリ２５ａに記憶する（ステップ２０８）。
【０００８】
（ｃ）本発明の第１実施例フローチャート
図３は本発明の第１実施例フローチャートである。まず、ＣＰＵ２５（図１）は所定時間毎にボリューム２８の操作が行われたか、否かを判定し（ステップ３０１）、操作が行われない場合は処理を終了する。一方、ボリューム操作が行われた場合はボリューム２８の操作量ΔVを計測し（ステップ３０２）、操作量ΔVに応じた音量値ΔV+V→Vを算出する（ステップ３０３）。次に、音量値Vが、予め設定してある最大音量値Vmaxよりも大きいか、否かを判定し（ステップ３０４）、小さい時は音量値Vをそのままアンプに送信する（ステップ３０７）。一方、大きい時は表示部２６に前記最大音量値Vmaxを超過した旨の警告を表示し（ステップ３０５）、ついで現在の音量Vを最大音量値Vmaxに制限し（V=Vmax）、V（=Vmax）を新しい音量値として（ステップ３０６）、アンプに送信する（ステップ３０７）。
以上のようにすれば、ユーザーが不用意にボリュームを上げても、音量は最大音量値に制限されるので、大音量を出力せず、運転に支障をきたさない。
【０００９】
（Ｂ）本発明の第２実施例
（ａ）デジタル放送受信機の構成
図４は本発明第２実施例のデジタル放送受信機の構成図であり、図１と同一のブロックには、同一の番号を付している。異なる点は、（１）ＣＰＵ２５内の最大音量値メモリと、最大音量値設定キーが削除された点、（２）ＲＦ部２２ａから受信電界強度検出信号ＲＳＳＩ、復調部２２ｃからフレーム同期検出信号ＦＳＳ、エラー訂正部２２ｄからエラー訂正状況信号ＥＣＣをそれぞれ取り出して、ＣＰＵ２５に入力している点である。
尚、正常に放送を受信しておらず、音声が出力されていなければ、（１）受信電界強度検出信号ＲＳＳＩのレベルが設定レベル以下となり、あるいは、（２）フレーム同期検出信号ＦＳＳがフレームの同期が取れないことを示し、あるいは、（３）エラー訂正状況信号ＥＣＣがエラーが多く訂正しきれないことを示す。従って、いずれかが検出された時、正常に放送を受信していないと判定する。
【００１０】
（ｂ）本発明の第２実施例フローチャート
図５は本発明第２実施例のフローチャートである。まず、ＣＰＵ２５（図４）は所定時間毎にボリューム２８の操作が行われたか、否かを判定し（ステップ５０１）、操作が行われない場合は処理を終了する。一方、ボリューム操作が行われた場合はボリューム２８の操作量ΔVを計測し（ステップ５０２）、操作量ΔVに応じた音量値ΔV+V→Vを算出する（ステップ５０３）。次に、電界強度検出信号ＲＳＳＩ、フレーム同期検出信号ＦＳＳ、エラー訂正状況信号ＥＣＣを参照して、デジタル放送受信部２２が正常に放送を受信しているか、否かを判定する（ステップ５０４）。正常に放送を受信している時は、音量値Vをアンプに送信し（ステップ５０５）、処理を終了する。一方、正常に放送を受信していない場合は、ボリューム操作が無効である旨の警告を表示し（ステップ５０６）、ボリューム操作を無効にする（ステップ５０７）。
以上のようにすれば、正常に放送を受信しておらず、音声が出力されていない時、ユーザーがボリュームを上げてもボリューム操作は無効となるので、正常受信が可能になった場合に、突然、大音量を出力しないので、運転に支障をきたさない。
【００１１】
（Ｃ）本発明の第３実施例
（ａ）デジタル放送受信機の構成
図６は本発明第３実施例のデジタル放送受信機の構成図であり、図１と同一のブロックには、同一の番号を付している。異なる点はＲＦ部２２ａから受信電界強度検出信号ＲＳＳＩ、復調部２２ｃからフレーム同期検出信号ＦＳＳ、エラー訂正部２２ｄからエラー訂正状況信号ＥＣＣを取り出して、ＣＰＵ２５に入力している点である。
正常に放送を受信しているか、否か判定する基準は、第２実施例と同様である。
【００１２】
（ｂ）本発明の第３実施例フローチャート
図７は本発明第３実施例のフローチャートである。まず、ＣＰＵ２５（図６）は所定時間毎にボリューム２８の操作が行われたか、否かを判定し（ステップ７０１）、操作が行われない場合は処理を終了する。一方、ボリューム操作が行われた場合はボリューム２８の操作量ΔVを計測し（ステップ７０２）、操作量ΔVに応じた音量値ΔV+V→Vを算出する（ステップ７０３）。次に、電界強度検出信号ＲＳＳＩ、フレーム同期検出信号ＦＳＳ、エラー訂正状況信号ＥＣＣを参照してデジタル放送受信部２２が正常に放送を受信しているか、否かを判定する（ステップ７０４）。正常に放送を受信している時は、音量値Vをアンプに送信し（ステップ７０８）、処理を終了する。一方、正常に放送を受信していない場合は、音量値Vが、予め設定してある最大音量値Vmaxよりも大きいか、否かを判定する（ステップ７０５）。音量値Vが最大音量値Vmaxより小さい時は、音量値Vをアンプに送信し（ステップ７０８）、処理を終了し、一方、音量値Vが最大音量値Vmaxより大きい場合は、ボリューム操作が最大音量設定値を超過した旨の警告を表示する（ステップ７０６）。ついで、現在の音量Vを最大音量値Vmaxに制限し（V=Vmax）、V（=Vmax）を新しい音量値として（ステップ７０７）、アンプに送信する（ステップ７０８）。
以上のようにすれば、正常に放送を受信していない時、ユーザーがボリュームを上げても、音量を予め設定した最大音量値に制限するので、正常受信が可能になった場合に、突然、大音量を出力しないので、車載用の場合等で運転に支障をきたさない。
【００１３】
【発明の効果】
以上、本発明によれば、デジタル放送受信時、正常に放送を受信可能な状態であるか、否かを判定し、正常受信不能状態の時、ボリューム操作を無効にするので、突然大音量を出力しないようにすることができ、ユーザーを驚かせることも無くなる。
【図面の簡単な説明】
【図１】本発明第１実施例のデジタル放送受信機構成図である。
【図２】最大音量値設定のフローチャートである。
【図３】本発明第１実施例のフローチャートである。
【図４】本発明第２実施例のデジタル放送受信機構成図である。
【図５】本発明第２実施例のフローチャートである。
【図６】本発明第３実施例のデジタル放送受信機構成図である。
【図７】本発明第３実施例のフローチャートである。
【図８】従来のデジタル放送受信機構成図である。
【図９】従来のボリューム制御のフローチャートである。
【符号の説明】
２２・・デジタル放送受信部
２５ａ・・最大音量値メモリ
２８・・ボリューム
【図１】
0003910775.tif 000002
【図２】
0003910775.tif 000003
【図３】
0003910775.tif 000004
【図４】
0003910775.tif 000005
【図５】
0003910775.tif 000006
【図６】
0003910775.tif 000007
【図７】
0003910775.tif 000008
【図８】
0003910775.tif 000009
【図９】
0003910775.tif 000010